(57)【要約】【課題】利用者が画像の削除を一度指定しただけでは、前記指定した画像が記憶媒体から削除されないようにして、上記削除指定が誤りであったと即座に気付いた場合には、上記削除要求を出した画像を復旧できるようにする。【解決手段】利用者が画像の削除を最初に指定したときには、上記指定された画像ファイルを再生対象から一時的に外すようにして、前記指定が一度の場合には上記指定に係わる画像が記憶媒体から削除されないようにすることにより、利用者が上記削除指定を行ったことが誤りであったと即座に気付いた場合には、上記削除要求を出した画像を復旧させるようにすることができるようにする。【選択図】        図１
2004200810.tif 000002
【特許請求の範囲】
【請求項１】
撮影した画像を記録媒体に画像ファイルとして記録し、上記記録した画像ファイルを再生表示する機能を有する画像記録再生装置であって、
再生対象から除外する画像ファイルを選択する選択手段と、
装置本体の複数の動作モードを切り替える動作モード切り替手段と、
上記動作モード切り替手段によって特定のモードへ切り替えられた場合、上記再生対象から除外された画像ファイルが記録媒体上に占める領域を新たな画像ファイルの生成のために開放する制御手段とを有することを特徴とする画像記録再生装置。
【発明の詳細な説明】
【０００１】
【発明の属する技術分野】
本発明は画像記録再生装置に関し、特に、画像を撮影して記録するとともに、上記記録した画像を再生する画像記録再生装置に用いて好適なものである。
【０００２】
【従来の技術】
従来、固体メモリ素子を有するメモリカードを記録媒体として、静止画像や動画像を記録再生する電子カメラ等の画像処理装置は既に実用化されて市販されており、また、カラー液晶パネル等の電子ファインダを備える電子カメラも販売されている。
【０００３】
これらの電子カメラによれば、撮影した画像を再生表示して確認し、不要な画像を削除する機能が有しており、利便性が高く、電子カメラの使用者にとって有益な機能となる。不要な画像を削除する機能により、利用者は画像を整理することができ、記録媒体の空き領域を確保することにより、新たに画像や音声などを記録することが可能となる。
【０００４】
【発明が解決しようとする課題】
このような従来の電子カメラ等の画像撮影再生装置においては、カラー液晶パネル等の電子ファインダに撮影した静止画像や動画像を表示し、利用者は不要な画像の削除を指定した場合、上記削除指定を出した段階で、記録媒体から前記画像の削除が実行されていた。
【０００５】
そのため、利用者の出した削除要求が、誤りであったと即座に気付いても、一度削除要求を出した画像を復旧することができない問題があった。
本発明は上述の問題点にかんがみてなされたもので、利用者が画像の削除を一度指定しただけでは、前記指定した画像が記憶媒体から削除されないようにして、上記削除指定が誤りであったと即座に気付いた場合には、上記削除要求を出した画像を復旧できるようにすることを目的とする。
【０００６】
【課題を解決するための手段】
上述した目的を達成するために、本願発明によれば、撮影した画像を記録媒体に画像ファイルとして記録し、上記記録した画像ファイルを再生表示する機能を有する画像記録再生装置であって、再生対象から除外する画像ファイルを選択する選択手段と、装置本体の動作モードを切り替える動作モード切り替手段と、上記動作モード切り替検出手段によって特定のモードへ切り替えられた場合、上記再生対象から除外された画像ファイルが記録媒体上に占める領域を新たな画像ファイルの生成のために開放する制御手段とを有することを特徴とする画像記録再生装置。
【０００７】
【発明の実施の形態】
次に、添付図面を参照しながら本発明の画像記録再生装置の実施の形態について説明する。
図１は、本発明に係る画像記録再生装置の実施の形態を示し、画像記録再生装置の構成例を示すブロック図である。
【０００８】
図１において、１００は画像処理装置である。また、１０は撮影レンズ、１２は絞り機能を備えるシャッター、１４は光学像を電気信号に変換する撮影素子、１６は撮影素子１４のアナログ信号出力をディジタル信号に変換するＡ／Ｄ変換器である。
【０００９】
１８は撮影素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。また、画像処理回路２０においては、撮影した画像データを用いて所定の演算処理を行い、得られた演算結果に基づいてシステム制御回路５０が露光制御手段４０、測距制御手段４２に対して制御を行う、TTL（スルー・ザ・レンズ）方式のAF（オートフォーカス）処理、AE（自動露出）処理、ＥＦ（フラッシュプリ発光）処理を行っている。
【００１１】
さらに、画像処理回路２０においては、撮影した画像データを用いて所定の演算処理を行い、得られた演算結果に基づいてTTL方式のAWB（オートホワイトバランス）処理も行っている。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００１３】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００１４】
２４は画像表示メモリ、２６はＤ／Ａ変換器、２８はTFT LCD等から成る画像表示部であり、画像表示メモリ２４に書き込まれた表示用の画像データはＤ／Ａ変換器２６を介して画像表示部２８により表示される。
【００１５】
画像表示部２８を用いて撮影した画像データを逐次表示すれば、電子ファインダ機能を実現することが可能である。また、画像表示部２８は、システム制御回路５０の指示により任意に表示をON/OFFすることが可能であり、表示をOFFにした場合には画像処理装置１００の電力消費を大幅に低減することができる。
【００１６】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００１７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１８】
４０は絞り機能を備えるシャッター１２を制御する露光制御手段であり、フラッシュ４８と連携することによりフラッシュ調光機能も有するものである。
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００１９】
４８はフラッシュであり、AF補助光の投光機能、フラッシュ調光機能も有する。上記露光制御手段４０、測距制御手段４２はTTL方式を用いて制御されており、撮影した画像データを画像処理回路２０によって演算した演算結果に基づき、システム制御回路５０が露光制御手段４０、測距制御手段４２に対して制御を行う。
【００２０】
５０は画像処理装置１００全体を制御するシステム制御回路、５２はシステム制御回路５０の動作用の定数、変数、プログラム等を記憶するメモリである。５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばLCDやLED、発音素子等の組み合わせにより構成されている。また、表示部５４は、その一部の機能が光学ファインダ１０４内に設置されている。
【００２１】
表示部５４の表示内容のうち、LCD等に表示するものとしては、シングルショット/連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信I/F動作表示、日付け・時刻表示、等がある。
【００２２】
また、表示部５４の表示内容のうち、光学ファインダ１０４内に表示するものとしては、合焦表示、手振れ警告表示、フラッシュ充電表示、シャッタースピード表示、絞り値表示、露出補正表示、等がある。
【００２３】
５６は電気的に消去・記録可能な不揮発性メモリであり、例えばEEPROM等が用いられる。６０、６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００２４】
ここで、これらの操作手段の具体的な説明を行う。
６０はモードダイアルスイッチで、電源オフ、自動撮影モード、撮影モード、パノラマ撮影モード、再生モード、マルチ画面再生・消去モード、PC接続モード等の各機能モードを切り替え設定することができる。
【００２５】
６２はシャッタースイッチで、不図示のシャッターボタンの操作途中でONとなり、AF（オートフォーカス）処理、AE（自動露出）処理、AWB（オートホワイトバランス）処理、ＥＦ（フラッシュプリ発光）処理等の動作開始を指示する。
【００２６】
６４はシャッタースイッチで、不図示のシャッターボタンの操作完了でONとなり、撮影素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。
【００２７】
６６は画像表示ON/OFFスイッチで、画像表示部２８のON/OFFを設定することができる。この機能により、光学ファインダ１０４を用いて撮影を行う際に、TFT LCD等から成る画像表示部への電流供給を遮断することにより、省電力を図ることが可能となる。
【００２８】
６８はクイックレビューON/OFFスイッチで、撮影直後に撮影した画像データを自動再生するクイックレビュー機能を設定する。なお、本実施の形態では特に、画像表示部２８をOFFとした場合におけるクイックレビュー機能の設定をする機能を備えるものとする。
【００２９】
７０は各種ボタンやタッチパネル等からなる操作部で、メニューボタン、セットボタン、マクロボタン、マルチ画面再生改ページボタン、フラッシュ設定ボタン、単写/連写/セルフタイマー切り替えボタン、メニュー移動＋（プラス）ボタン、メニュー移動−（マイナス）ボタン、再生画像移動＋（プラス）ボタン、再生画像−（マイナス）ボタン、撮影画質選択ボタン、露出補正ボタン、日付/時間設定ボタン、画像削除ボタン、画像削除取消しボタン等がある。
【００３０】
８０は電源制御手段で、電池検出回路、DC-DCコンバータ、通電するブロックを切り替えるスイッチ回路等により構成されており、電池の装着の有無、電池の種類、電池残量の検出を行い、検出結果及びシステム制御回路５０の指示に基づいてDC-DCコンバータを制御し、必要な電圧を必要な期間、記録媒体を含む各部へ供給する。
【００３１】
８２はコネクタ、８４はコネクタ、８６はアルカリ電池やリチウム電池等の一次電池やNiCd電池やNiMH電池、Li電池等の二次電池、ACアダプター等からなる電源手段である。
【００３２】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。
【００３３】
なお、本実施の形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００３４】
インターフェース及びコネクタとしては、PCMCIAカードやCF（コンパクトフラッシュ（Ｒ））カード等の規格に準拠したものを用いて構成して構わない。さらに、インターフェース９０及び９４、そしてコネクタ９２及び９６をPCMCIAカードやCF（コンパクトフラッシュ（Ｒ））カード等の規格に準拠したものを用いて構成した場合、LANカードやモデムカード、USBカード、IEEE1394カード、P1284カード、SCSIカード、PHS等の通信カード、等の各種通信カードを接続することにより、他のコンピュータやプリンタ等の周辺機器との間で画像データや画像データに付属した管理情報を転送し合うことができる。
【００３５】
１０２は、画像処理装置１００のレンズ１０を含む撮影部を覆うことにより、撮影部の汚れや破損を防止するバリアである保護手段である。１０４は光学ファインダであり、画像表示部２８による電子ファインダ機能を使用すること無しに、光学ファインダのみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、露出補正表示などが設置されている。
【００３６】
１１０は通信手段で、RS232CやUSB、IEEE1394、P1284、SCSI、モデム、LAN、無線通信、等の各種通信機能を有する。１１２は通信手段１１０により画像処理装置１００を他の機器と接続するコネクタ或いは無線通信の場合はアンテナである。
【００３７】
２００はメモリカードやハードディスク等の記録媒体である。記録媒体２００は、半導体メモリや磁気ディスク等から構成される記録部２０２、画像処理装置１００とのインターフェース２０４、画像処理装置１００と接続を行うコネクタ２０６を備えている。
【００３８】
２１０はメモリカードやハードディスク等の記録媒体である。記録媒体２１０は、半導体メモリや磁気ディスク等から構成される記録部２１２、画像処理装置１００とのインターフェース２１４、画像処理装置１００と接続を行うコネクタ２１６を備えている。
【００３９】
図２は、本画像装置を適用した電子カメラの斜視図である。
2-1はモードダイアルスイッチで、電源オフ、自動撮影モード、撮影モード、パノラマ撮影モード、再生モード、動画撮影モード等の各機能モードを切り替え設定することができる。
【００４０】
2-2はシャッターボタンを示す。カメラの撮影画像は画像表示部に表示されるが、これは通常LCD（液晶ディスプレイ）を使用しているので、以下、LCDと称する。静止画像及び或るいは動画像の再生等のための画面もこのLCD ２-5に表示される。
【００４１】
2-4はSETボタンで、設定メニューの決定等に使用する。2-3は削除ボタンで、画像の削除を指定することができる。また、記録媒体に記録された画像に対して、音データをつけることもできる。2-8のMICボタンを押して録音を行い、画像データに音データを付加することができる。
【００４２】
図３は、記憶媒体に記録されるデータのディレクトリ構造の一例を示す。撮影した画像データはDCIMというディレクトリ下の、***CANONという画像データファイルを示すディレクトリに置かれ、IMG_****.JPGは、JPEG(国際標準規格)による圧縮画像データファイルで、IMG_****.RAWはCCDRAW（撮影素子からのデータをそのまま非圧縮で記録したことを示す）データファイルで、MVI_****.AVIは、Motion JPEGで圧縮された動画像ファイルを各々示す。
【００４３】
本実施の形態では、一例として、***CANONは"999"まで記憶可能で、IMG_****.JPG（または、IMG_****.CRW、または、MVI_****.AVI）は、それぞれ各***CANON毎に100個まで記録可能とする。再生時は前記形式に沿った画像が再生対象となる。
【００４４】
図４では、画像の削除指定と、削除指定の取消し、及び削除指定取消しが無い場合の記録媒体からの画像の削除についての処理の流れを示す。本例では、JPEGによる圧縮画像データの削除指定と削除取消しについて記述しているが、CCDRAWデータファイルや動画像などについても適用できる。
【００４５】
利用者が画像を再生中に、2-3の削除ボタンを押すことにより、画像の削除を指定する(ステップS4-1)と、削除を指定された画像の名称を変更し、再生対象から除外された形式に画像ファイルを変更する。
【００４６】
ここで、再生対象から除外した形式にする方式は、ファイル名称を変更する或るいは上記画像ファイルのディレクトリを変更する事により達成できる。本例では一例として、IMG_****.JPGという画像データファイルの名称の最後に.DELを追加し、IMG_****.JPG.DELという名称に変更する(ステップS4-4)。前記の削除指定を行った画像は、再生可能な形式ではなくなり再生されないため、利用者は画像を削除したと認識することができる。
【００４７】
しかし、利用者が再生中に削除指定を行った画像に対して、削除を取消したい場合も想定し得る。例えば、SETボタンを押しながら削除ボタンを押すことにより、削除指定の取消しを要求する(ステップS4-2)。
【００４８】
前記削除指定の取消しを受けると、削除指定があった画像のファイル名称IMG_****.JPG.DELから.DELを削除し、元のファイル名称IMG_****.JPGに戻す(ステップS4-5)。この操作により、前記画像は再生時に再生対象となるため、利用者は一度削除した画像が復旧したと認識することができる。上記画像は複数枚でもあり得る。
【００４９】
利用者が一例としてモードダイアルスイッチ2-1を回して再生モードから抜けて静止画像或るいは動画像の撮影モードへの移るような特定動作モード切替を検出した場合(ステップS4-3)は、削除指定を受けてファイル名称を変更した画像(IMG_****.JPG.DELなど)を記録媒体から実際に削除し、上記再生対象から除外された画像ファイルが記録媒体上に占める領域を新たな画像ファイルの生成のために開放する(ステップS4-6)。ここで、再生モードから抜ける場合とは、モードダイアルスイッチの切り替えだけでなく、ボタンやタッチパネル等の操作で抜ける場合もあり得る。
【００５０】
また、再生中に２−８のMICボタンを押すと、画像に音データを付加することもできる。この場合は再生モードから録音モードに移ることにより特定動作モード切り替えを検出するため(ステップS4-3)、削除指定を受けてファイル名称を変更した画像(IMG_****.JPG.DELなど)を記録媒体から削除する(ステップS4-6)。
【００５１】
再生中に上記装置の電源OFF或るいは記録媒体の取り外しを検知すると、再生モードから抜けたことにより特定動作モード切替を検出し(ステップS4-3)、削除指定を受けてファイル名称を変更した画像(IMG_****.JPG.DELなど)を記録媒体から削除する(ステップS4-6)。
【００５２】
（第２の実施の形態）
上述した第１の実施の形態では、削除指定を受けた画像についてファイル名称を変更することにより、再生対象から外し、利用者に画像が削除されたと認識できるようにしていたが、この第２の実施の形態として、削除を指定された画像のインデックスを作成する方法を図５に示す。画像削除指定を受けた画像を前記インデックスに登録し、前記インデックスに該当している画像は再生せず、再生状態から抜ける以前に削除取消し要求があった画像は、前記インデックスから外し、再生状態から抜けた場合には、前記インデックスに登録されている画像を記録媒体から削除するようにしてもよい。
【００５３】
（本発明の他の実施の形態）
本発明は複数の機器から構成されるシステムに適用しても１つの機器からなる装置に適用しても良い。
【００５４】
また、上述した実施の形態の機能を実現するように各種のデバイスを動作させるように、上記各種デバイスと接続された装置あるいはシステム内のコンピュータに対し、上記実施の形態の機能を実現するためのソフトウェアのプログラムコードを供給し、そのシステムあるいは装置のコンピュータ（ＣＰＵあるいはＭＰＵ）に格納されたプログラムに従って上記各種デバイスを動作させることによって実施したものも、本発明の範疇に含まれる。
【００５５】
また、この場合、上記ソフトウェアのプログラムコード自体が上述した実施の形態の機能を実現することになり、そのプログラムコード自体、およびそのプログラムコードをコンピュータに供給するための手段、例えばかかるプログラムコードを格納した記憶媒体は本発明を構成する。かかるプログラムコードを記憶する記憶媒体としては、例えばフレキシブルディスク、ハードディスク、光ディスク、光磁気ディスク、ＣＤ−ＲＯＭ、磁気テープ、不揮発性のメモリカード、ＲＯＭ等を用いることができる。
【００５６】
また、コンピュータが供給されたプログラムコードを実行することにより、上述の実施の形態で説明した機能が実現されるだけでなく、そのプログラムコードがコンピュータにおいて稼働しているＯＳ（オペレーティングシステム）あるいは他のアプリケーションソフト等の共同して上述の実施の形態で示した機能が実現される場合にもかかるプログラムコードは本発明の実施の形態に含まれることは言うまでもない。
【００５７】
さらに、供給されたプログラムコードがコンピュータの機能拡張ボードやコンピュータに接続された機能拡張ユニットに備わるメモリに格納された後、そのプログラムコードの指示に基づいてその機能拡張ボードや機能拡張ユニットに備わるＣＰＵ等が実際の処理の一部または全部を行い、その処理によって上述した実施の形態の機能が実現される場合にも本発明に含まれる。
【００５８】
本発明の実施態様の例を以下に列挙する。
〔実施態様１〕  撮影した画像を記録媒体に画像ファイルとして記録し、上記記録した画像ファイルを再生表示する機能を有する撮像装置であって、再生対象から除外する画像ファイルを選択する選択手段と、装置本体の複数の動作モードを切り替える動作モード切り替手段と、上記動作モード切り替手段によって特定のモードへ切り替えられた場合、上記再生対象から除外された画像ファイルが記録媒体上に占める領域を新たな画像ファイルの生成のために開放する制御手段とを有することを特徴とする画像記録再生装置。
【００５９】
〔実施態様２〕上記動作モード切り替手段は、少なくとも静止画像の撮影モード、動画像の撮影モード、或るいは録音モードのうちのいずれか１つを選択的に切り替えることを特徴とする実施態様１に記載の画像記録再生装置。
【００６０】
〔実施態様３〕上記制御手段は、上記装置の電源をオフにした場合、或るいは記録媒体を上記装置から取り外した場合に上記再生対象から除外された画像ファイルが記録媒体上に占める領域を新たな画像ファイルの生成のために開放することを特徴とする実施態様１に記載の画像記録再生装置。
【００６１】
〔実施態様４〕撮影した画像を記録媒体に画像ファイルとして記録し、上記記録した画像ファイルを再生表示する機能を有する画像記録再生装置の再生方法であって、再生対象から除外する画像ファイルを選択する選択処理と、装置本体の特定のモードへ切り替えられた場合、上記再生対象から除外された画像ファイルが記録媒体上に占める領域を新たな画像ファイルの生成のために開放することを特徴とする画像記録再生方法。
〔実施態様５〕実施態様４に記載の画像記録再生方法の動作処理を実行するコンピュータプログラム。
〔実施態様６〕実施態様５に記載のコンピュータプログラムを記憶した記憶媒体。
【００６２】
【発明の効果】
以上説明してきたように、本発明によれば、利用者が画像の削除を最初に指定したときには、上記指定された画像ファイルを再生対象から一時的に外すようにして、前記指定が一度の場合には上記指定に係わる画像が記憶媒体から削除されないようにしたので、利用者が上記削除指定を行ったことが誤りであったと即座に気付いた場合には、上記削除要求を出した画像を復旧させるようにすることができる。
【図面の簡単な説明】
【図１】本発明の実施の形態を示し、全体個性を示すブロック図である。
【図２】実施の形態の画像再生装置を適用した電子カメラの斜視図である。
【図３】実施の形態における記憶手段に記録されるデータのディレクトリ構造の一例を示す図である。
【図４】実施の形態の主ルーチンの手順を説明するフローチャートである。
【図５】第２の実施の形態における削除画像インデックスを示す図である。
【符号の説明】
１０  撮影レンズ
１２  シャッター
１４  撮影素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチ
６４  シャッタースイッチ
６６  画像表示ON/OFFスイッチ
６８  クイックレビューON/OFFスイッチ
７０  操作部
８０  電源制御手段
８２  コネクタ
８４  コネクタ
８６  電源手段
９０  インターフェース
９２  コネクタ
９４  インターフェース
９６  コネクタ
９８  記録媒体着脱検知手段
１００  画像処理装置
１０２  保護手段
１０４  光学ファインダ
１１０  通信手段
１１２  コネクタ（アンテナ）
２００  記録媒体
２０２  記録部
２０４  インターフェース
２０６  コネクタ
２１０  記録媒体
２１２  記録部
２１４  インターフェース
２１６  コネクタ
【図１】
2004200810.tif 000003
【図２】
2004200810.tif 000004
【図３】
2004200810.tif 000005
【図４】
2004200810.tif 000006
【図５】
2004200810.tif 000007